(57)【特許請求の範囲】
【請求項１】
携帯端末及び該携帯端末と通信するセンタからなる経路情報配信システムであって、
前記携帯端末は、
出発地情報と目的地情報を入力する入力手段と、
前記センタから送信される経路情報画面を表示する表示手段と、
前記表示手段による案内継続中に、当該携帯端末の操作によって行われる通信断又は電源オフの後、当該携帯端末側から通信再開又は電源オンした場合、前記センタに前記経路情報画面の再表示の要求を送信する指示手段とを備え、
前記センタは、
前記携帯端末からの出発地情報と目的地情報に基づいて経路探索する経路探索手段と、
前記携帯端末からの入力に応じ、ユーザＩＤをキーに前記携帯端末へ送信した画面を保存する情報保存手段と、
前記携帯端末からの前記経路情報画面の再表示の要求を受信したとき、前記ユーザＩＤをキーに前記情報保存手段に保存された直前に送信した前記画面を前記携帯端末へ再び送信する送信手段と、
を備えたことを特徴とする経路情報配信システム。
【請求項２】
前記携帯端末は、携帯電話であることを特徴とする請求項１記載の経路情報配信システム。
【請求項３】
前記経路情報画面は、経路全体を含む地図、経路の案内地点の地図又は経路の案内地点の名称を含む画面であることを特徴とする請求項１又は２記載の経路情報配信システム。
【請求項４】
前記携帯端末は、現在位置を検出する現在位置検出手段を備え、前記入力手段は、前記現在位置検出手段により検出した現在位置情報を出発地情報として入力することを特徴とする請求項１記載の経路情報配信システム。
【発明の詳細な説明】
【０００１】
【発明の属する技術分野】
本発明は、携帯端末及び該携帯端末と通信するセンタからなる経路情報配信システムに関する。
【０００２】
【従来の技術及び発明が解決しようとする課題】
車両用ナビゲーション装置は、ＧＰＳや車速センサ等を使って現在位置を追跡し、設定入力された出発地や現在地から目的地までの経路を案内するものであるが、大型で重量があり、携帯できるものではなく、歩行者の利用できるものではない。
【０００３】
このような車両に搭載するものではなく、軽量、小型で携帯に便利な携帯用ナビゲーション装置も提案されている。この携帯用ナビゲーション装置は、一般に車両用としてではなく、むしろ歩行者用に歩行経路を案内するものであり、携帯電話が用いられる。そのため、目的地に到着するまで案内画面のままということはなく、通話に用いたり、乗り物に乗るために電源を切るなど、案内画面を切る場合が頻繁に発生する。
【０００４】
このような場合、その都度ナビゲーション装置の案内がリセットされると、再び案内画面を切る前の状態に戻すのに、１から現在地、目的地を入力しなければならず、煩わしくなるという問題が生じる。
【０００５】
【課題を解決するための手段】
本発明は、上記課題を解決するものであって、携帯端末で通信断又は電源オフをした後でも、前の経路情報を再表示できるようにするものである。
【０００６】
そのために本発明は、携帯端末及び該携帯端末と通信するセンタからなる経路情報配信システムであって、前記携帯端末は、出発地情報と目的地情報を入力する入力手段と、前記センタから送信される経路情報画面を表示する表示手段と、前記表示手段による案内継続中に、当該携帯端末の操作によって行われる通信断又は電源オフの後、当該携帯端末側から通信再開又は電源オンした場合、前記センタに前記経路情報画面の再表示の要求を送信する指示手段とを備え、前記センタは、前記携帯端末からの出発地情報と目的地情報に基づいて経路探索する経路探索手段と、前記携帯端末からの入力に応じ、ユーザＩＤをキーに前記携帯端末へ送信した画面を保存する情報保存手段と、前記携帯端末からの前記経路情報画面の再表示の要求を受信したとき、前記ユーザＩＤをキーに前記情報保存手段に保存された直前に送信した前記画面を前記携帯端末へ再び送信する送信手段と、を備えたことを特徴とするものである。
【０００７】
前記携帯端末は、携帯電話であることを特徴とし、前記経路情報画面は、経路全体を含む地図、経路の案内地点の地図又は経路の案内地点の名称を含む画面であることを特徴とし、前記携帯端末は、現在位置を検出する現在位置検出手段を備え、前記入力手段は、前記現在位置検出手段により検出した現在位置情報を出発地情報として入力することを特徴とするものである。
【０００８】
【発明の実施の形態】
以下、本発明の実施の形態を図面を参照しつつ説明する。図１は本発明に係る経路情報配信システムの実施の形態を示す図、図２は携帯端末の正面図を示す図、図３は案内データの構成例を示す図である。図中、１はナビセンタ、２は通信回線、３は携帯端末、４は案内情報提供手段、５はユーザ情報保存手段、６はユーザ特定手段、７は地図データ、８はＰＯＩデータ、９は道路データ、１０は公共交通機関データ、１１は地図画生成手段、１２はＰＯＩ検索手段、１３は経路探索手段、１４は情報入出力手段、１５は通信手段、２１はディスプレイ表示部、２２はテンキー入力部を示す。
【０００９】
図１において、ナビセンタ１は、通信回線２を介してユーザの携帯端末３と通信を行い、ユーザの要求に応じて目的地までの経路を探索し案内情報を提供するサーバであり、携帯端末３からの出発地情報と目的地情報に基づいて経路探索する経路探索手段や携帯端末３へ経路情報を送信する送信手段を含む案内情報提供手段４、経路探索手段により探索した経路情報を保存する情報保存手段としてのユーザ情報保存手段５、ユーザ特定手段６などを有する。
【００１０】
案内情報提供手段４は、地図データ７、ＰＯＩデータ８、道路データ９、公共交通機関データ１０などの地図描画、地点検索、経路探索、案内情報の提供に必要な案内データを有し、さらに、地図画生成手段１１、ＰＯＩ検索手段１２、経路探索手段１３、情報入出力手段１４、通信手段１５を有する。
【００１１】
地図データ７は、地図イメージを描画するためのデータであり、道路を描画するためのノード、リンク、座標で領域を定義した家形、公園など特定領域を描画するためのポリゴンデータ、座標と名称を格納した地図上に表示するための表示文字データなどを有する。ＰＯＩデータ８は、出発地や目的地、案内地点となる各地点を検索するための施設データを有し、タウンページ情報なども含まれる。道路データ９は、経路を探索するためのデータであり、最適経路の判定を行うための車載ナビゲーションシステムとは異なる歩行者用の経路情報配信システムに特有のコスト、道路の種別などの情報を有し、あるいは車載ナビゲーションシステムと同様のデータを持ち、経路計算でコストを変えている。歩行者用の視点では、有料道路や高架道路など歩行に向かない道路は経路探索の対象にせず、右左折や一方通行などの規制も考慮しない。また、国道などの広い道路、ガードレールがあり歩道の広い道路などは通りやすいとされる。公共交通機関データ１０は、ＪＲ・私鉄の鉄道は勿論、航空、バス、船などを含む交通機関のデータであり、例えばＪＲ○○線、山手線などの路線毎の駅情報を有する路線データ、時刻表データなどである。
【００１２】
地図画生成手段１１は、地図データ７を基に地図画を生成するものであり、道路、経路、家形、公園、名称などの文字、などが表示された地図画像を生成する。ＰＯＩ検索手段１２は、ＰＯＩデータ８により目的地や案内地点などの地点を、例えば電話番号を入力することによってそれに該当する地点情報（名称、住所、座標等）が得られるものである。経路探索手段１３は、出発地、目的地、探索条件などの指定に基づく経路要求に応じて道路データ９、公共交通機関データ１０により経路探索を行うものであり、歩行経路、鉄道経路を組み合わせて出発地から目的地までの経路を探索する。情報入出力手段１４は、ユーザの携帯端末３からの経路要求や案内開始要求、現在地入力・選択、及び携帯端末３への生成した地図画、探索した地点、探索結果、案内情報の出力を行い、通信手段１５は、ユーザの携帯端末３との間で通信回線２を介して通信を行うものである。
【００１３】
経路探索手段１３により行われる探索方法は、例えば次のようになる。出発地を特定することにより、出発地から最寄りの駅（乗車駅）を数駅、例えば３駅に絞って特定し、同様に目的地を特定することにより、目的地から最寄りの駅（降車駅）を数駅、例えば３駅に絞って特定する。そして、道路データを用い出発地から各乗車駅までの歩行経路、公共交通機関データを用い各乗車駅から各降車駅までの交通機関経路、さらに道路データを用い各降車駅から目的地までの歩行経路をそれぞれ探索する。さらに、これらの歩行経路、交通機関経路を組み合わせて、出発地から目的地までの総合コストを算出し、最もコストの低い経路を提示する。このとき、総合コストとして、最短時間、最少運賃、最少乗換え回数などを探索条件として入力することにより、コストの変更ができる。
【００１４】
ユーザ情報保存手段５は、各ユーザ毎に出発地、目的地、探索情報、現在地、経路探索結果などの情報を逐次保存するものであり、ユーザ特定手段６は、各ユーザのＩＤキーを認識してユーザの特定を行うものである。
【００１５】
携帯端末３は、図２に示すようなセンタから送信されくる経路情報を表示する表示手段として、さらに地図検索リスト、メニューなどを表示することができるディスプレイ表示部２１、出発地情報と目的地情報を入力する入力手段や通信断又は電源オフの後、通信再開又は電源オンの後、経路情報再表示の指示をする指示手段として、英数字やかな漢字を入力し画面スクロール指示等を入力することができるテンキー入力部２２を有し、通信機能を有する、例えば携帯電話である。そして、通信回線２を介してナビセンタ１と通信を行い、テンキー入力部２２から現在地や出発地と目的地を入力することにより、ディスプレイ表示部２１にナビセンタ１で探索された目的地までの経路案内の地図を表示したり、案内地点の入力によりその案内地点の拡大図を表示したり、テンキー入力部２２から前の経路復帰ボタンや画面復帰ボタンを操作して前の経路情報を再表示させたりする。
【００１６】
道路データ９は、各道路毎に、例えば図３（Ａ）に示すように道路番号、その長さ、始点の名称・座標（緯度、経度）、終点の名称・座標、交差点名称や道路名称などの情報を有し、ＰＯＩデータ８は、各地点毎に、例えば図３（Ｂ）に示すように地点名称、地点座標、住所、電話番号、地点区分、表示順位などの情報を有する。具体的には、例えば図３（Ｃ）に示すように地点名称にビル名や店名、施設名などを登録し、地点区分にジャンルなどに基づく区分情報を検索用として登録し、表示用として表示順位に全ルート表示で表示する地点「１」、拡大図表示で表示する「２」、「３」のように、表示画面に応じて表示するもの、その優先順位を登録してもよい。例えば拡大図表示で表示する「２」、「３」の文字が重なる場合、ここでは、「２」の表示順位の地点を優先する。
【００１７】
次に、本発明に係る経路情報配信システムにおいてユーザの携帯端末とサーバとの間での通信処理フローの例を説明する。図４は経路を保存して通信の再開により経路を復帰させる処理フローの例を説明するための図、図５は画面を保存して通信の再開により前の画面を復帰させる処理フローの例を説明するための図である。
【００１８】
本発明に係る経路情報配信システムでは、例えば図４に示すようにまず、ユーザの携帯端末からサーバに対して出発地、目的地、探索条件を指定して経路要求を送る。現在位置検出手段してのＧＰＳが備えられた携帯端末においては、出発地が現在位置の場合には該ＧＰＳが検出した現在位置を出発地情報として自動的に入力するようにしてもよい。この場合、出発地を入力する操作が省略できる。目的地、現在地は、例えば電話番号や名称の入力値から座標を特定するために、ＰＯＩ検索手段を用いて検索を行って検索結果リストをユーザに提示し、リストからユーザが選択する。サーバ側において、情報入出力手段は、携帯端末からの経路要求を受けると、ユーザＩＤをキーにして目的地、出発地の名称や座標、住所その他の情報をユーザ情報保存手段に保存し、経路探索手段に経路探索要求を発行する。ユーザＩＤとして、例えばＥｚＷｅｂでは携帯電話上のブラウザからのｈｔｔｐヘッダに含まれる端末固有情報が用いられるが、ユーザＩＤを入力させるようにしてもよい。情報入出力手段は、経路探索手段から経路探索結果が通知されると、その経路探索結果を携帯端末に提示し、携帯端末からの案内開始要求に対し、案内を開始する。
【００１９】
案内継続中に、携帯端末で通信断又は電源オフにし、その後通信を再開又は電源をオンにして前の経路復帰ボタンを選択すると、情報入出力手段は、ユーザ情報保存手段にユーザＩＤをキーにして経路探索結果復帰要求を発行して、経路探索結果を復帰させ、携帯端末に前の経路探索結果を提示する。これに対し、携帯端末が案内開始要求をサーバに送ると、案内を再開する。
【００２０】
また、通信断や電源オフは、上記のように案内継続中にのみ発生するものではなく、現在地や目的地、探索条件の指定、経路要求の中途において発生することも当然ありうることである。このような場合にも、例えば図５に示すように携帯端末から何らかの入力アクションがある毎に、サーバにおいて情報入出力手段がユーザＩＤをキーにユーザ情報をユーザ情報保存手段に保存し、さらに、入力に応じた画面を携帯端末に表示する毎に、ユーザＩＤをキーにその画面をユーザ情報保存手段に保存する。このことにより、携帯端末で通信断又は電源オフにし、その後通信を再開してサーバに前の画面復帰ボタンを選択すると、情報入出力手段は、ユーザ情報保存手段にユーザＩＤをキーにして画面復帰要求を発行して、画面を復帰させ、携帯端末に前の画面を提示する。ここでは、探索結果、現在地、目的地、探索条件、ＰＯＩ検索結果など、歩行用ナビゲーションをするために必要な情報を保存する。したがって、この情報保存は、画面復帰するしないにかかわらず必要なものについて実行される。
【００２１】
さらに、具体的な処理の流れにしたがって説明する。図６は全体の処理と目的地設定処理の例を説明するための図、図７は現在地からの経路の表示処理の例を説明するための図、図８は現在地の設定処理及び時刻等の初期化処理の例を説明するための図、図９はユーザーチェック処理の例を説明するための図である。
【００２２】
本発明に係る経路情報配信システムでは、全体として図６（Ａ）に示すように目的地設定を行って（ステップＳ１１）、目的地までの経路を探索して現在地からの経路の表示を行う（ステップＳ１２）。
【００２３】
上記処理のうち、ステップＳ１１の目的地設定処理では、図６（Ｂ）に示すように目的地を入力して（ステップＳ２１）、その目的地を検索し（ステップＳ２２）、検索結果を表示することにより（ステップＳ２３）、表示された目的地を確定する（ステップＳ２４）。
【００２４】
そして、ステップＳ１２の現在地からの経路の表示処理では、図７に示すようにまず、現在地の設定処理を行い（ステップＳ３１）、現在地から目的地までの経路探索処理を行い（ステップＳ３２）、時刻等の初期化、目的地の到着予定時刻の計算処理を行い（ステップＳ３３）、案内状況を判断してユーザが道に迷っている状態か否かユーザーチェック処理を行う（ステップＳ３４）。道に迷ったときの案内は、ユーザからの要求があれば、ユーザの要求に従って案内図や文を表示し、また、予定時刻を基に道に迷っているか否かの判断をして案内図を表示させるようにしてもよい。
【００２５】
上記ステップＳ３１の現在地の設定処理では、図８（Ａ）に示すように現在地の入力画面を表示して（ステップＳ４１）、現在地の入力を行って（ステップＳ４２）、現在地の検索を行い（ステップＳ４２）、現在地を確定する（ステップＳ４３）。
【００２６】
上記ステップＳ３３の時刻等の初期化処理では、図８（Ｂ）に示すようにカウンタを「０」にリセットし（ステップＳ４５）、タイマ１を現在の時刻にセットして（ステップＳ４６）、到着予定時刻の計算を行う（ステップＳ４７）。到着予定時刻は、例えば経路距離÷歩行者の平均時速（例えば４ｋｍ／ｈ）の計算を行って求める。
【００２７】
上記ステップＳ３４のユーザーチェック処理では、図９に示すように地図を表示して（ステップＳ５１）、ユーザーからの指示による地図の変更があるか否かを判定する（ステップＳ５２）。そして、地図の変更がある場合には、カウンタを＋１インクリメントして（ステップＳ５３）、そのカウント値が一定値αを越えたか否かを判定し（ステップＳ５４）、越えなければステップＳ５１に戻り、上記の処理と同様の処理を繰り返し実行する。カウント値が一定値αを越えた場合には、「道に迷っている」と表示する（ステップＳ５７）。
【００２８】
また、ステップＳ５２の判定の結果、地図の変更がない場合には、目的地に到着したか否かを判定し（ステップＳ５５）、目的地に到着していなければ、現在の時刻が到着予定時刻＋一定値βを越えたか否かを判定する（ステップＳ５６）。現在の時刻が到着予定時刻から既に一定の時間経過している場合、つまり、到着予定時刻からさらにβの時間経過しても目的地に到着していない場合には、「道に迷っている」と表示し（ステップＳ５７）、まだ、現在の時刻が許容範囲内である場合には、ステップＳ５１に戻り、上記の処理と同様の処理を繰り返し実行する。
【００２９】
上記のように本発明に係る経路情報配信システムでは、地図の変更が頻繁に行われ一定値αを越えた場合や、到着予定時刻からさらに一定時間βを経過しても目的地に到着しない場合に、道に迷っていると判断している。そのほか、▲１▼地図を拡大させたあと縮小させなかった場合、▲２▼何回も同じところを拡大させた場合などを条件として、道に迷っていると判断してもよい。
【００３０】
なお、本発明は、上記実施の形態に限定されるものではなく、種々の変形が可能である。例えば上記実施の形態では、インターネット回線を介して携帯電話と通信を行うサーバ（ナビセンタ）を利用したシステムとして説明したが、インターネット回線以外の有線、無線の通信回線を利用して携帯端末がナビセンタと通信を行い小画面で経路案内を行うシステムにおいても同様に適用可能であり、センタと通信する装置に限らず、携帯端末のみで全ての機能を備えた装置として適用してもよいことはいうまでもない。
【００３１】
また、通信断又は電源オフの後に情報復帰を行う形態で説明したが、多機能の携帯端末において機能を切り替えて他の機能を使用し、その後にナビゲーション機能に戻る場合においても同様である。ユーザが現在地、目的地、探索条件を入力して経路を探索したときにおいて、複数の経路をユーザに提示することによりユーザがそのいずれかを選択した場合、その経路探索結果をそのユーザの情報として保存して、呼び出せるようにしてもよい。
【００３２】
ユーザが再度案内画面を呼び出したい場合、トップページに前の経路復帰ボタンを設け、それを操作することによりユーザ情報保存手段から情報を復帰させてユーザに提示させるようにしてもよい。さらに、過去の経路や設定内容だけでなく、画面階層のどの位置にいるかまでも情報として保存することにより、中断したそのままの画面を復帰させるようにしてもよい。
【００３３】
【発明の効果】
以上の説明から明らかなように、本発明によれば、携帯端末及び該携帯端末と通信するセンタからなる経路情報配信システムであって、携帯端末は、出発地情報と目的地情報を入力する入力手段と、センタから送信される経路情報を表示する表示手段と、通信断又は電源オフの後、経路情報再表示の指示をする指示手段とを備え、センタは、携帯端末からの出発地情報と目的地情報に基づいて経路探索する経路探索手段と、経路探索手段により探索した経路情報を保存する情報保存手段と、携帯端末へ経路情報を送信する送信手段とを備え、送信手段は、端末からの経路情報再表示の指示があったとき、情報保存手段に保存された経路情報を携帯端末へ送信し、センタは、経路探索する毎に、経路情報を保存しておくため、通信断又は電源オフの場合にも、携帯端末が経路情報再表示の指示をするだけで、簡単に前の経路情報を呼び出すことができ、出発地情報と目的地情報などを再び入力する必要がない。
【００３４】
情報保存手段は、ユーザＩＤとともに経路情報を保存するので、センタに複数のユーザの経路情報を保存する場合にも、それぞれのユーザに対する経路情報を確実に復帰させることができる。また、経路情報は、経路全体を含む地図、経路の案内地点の地図又は経路の案内地点の名称を含むので、前の経路情報として経路全体、経路の案内地点の地図、案内地点の名称が再表示でき、携帯端末は、現在位置を検出する現在位置検出手段を備え、入力手段は、現在位置検出手段により検出した現在位置情報を出発地情報として入力するので、現在位置検出手段により出発地情報を自動的に入力することができる。
【図面の簡単な説明】
【図１】  本発明に係る経路情報配信システムの実施の形態を示す図である。
【図２】  携帯端末の正面図を示す図である。
【図３】  案内データの構成例を示す図である。
【図４】  経路を保存して通信の再開により経路を復帰させる処理フローの例を説明するための図である。
【図５】  画面を保存して通信の再開により前の画面を復帰させる処理フローの例を説明するための図である。
【図６】  全体の処理と目的地設定処理の流れの例を示す図である。
【図７】  現在地からの経路の表示処理の例を説明するための図である。
【図８】  現在地の設定処理及び時刻等の初期化処理の例を説明するための図である。
【図９】  ユーザーチェック処理の例を説明するための図である。
【符号の説明】
１…ナビセンタ、２…通信回線、３…携帯端末、４…案内情報提供手段、５…ユーザ情報保存手段、６…ユーザ特定手段、７…地図データ、８…ＰＯＩデータ、９…道路データ、１０…公共交通機関データ、１１…地図画生成手段、１２…ＰＯＩ検索手段、１３…経路探索手段、１４…情報入出力手段、１５…通信手段、２１…ディスプレイ表示部、２２…テンキー入力部
【図１】
0004993648.tif 000002
【図２】
0004993648.tif 000003
【図３】
0004993648.tif 000004
【図４】
0004993648.tif 000005
【図５】
0004993648.tif 000006
【図６】
0004993648.tif 000007
【図７】
0004993648.tif 000008
【図８】
0004993648.tif 000009
【図９】
0004993648.tif 000010